(57)【特許請求の範囲】
【請求項１】
ノズル本体に貫通形成された流路の先端部に、噴板が配備され、
ノズル本体が、上流側本体と、噴板を有する下流側本体とに流路軸心方向に分割して形成され、
流路軸心上に配置される第１中央オリフィス穴と、第１中央オリフィス穴の周囲に配置された周辺オリフィス穴とを有する第１オリフィス板が下流側本体の末端側に配備され、
下流側本体の第１オリフィス板と噴板との間に、流路と本体外部とを連通して本体外部の空気を流路内に導入するための空気導入路が形成され、
下流側本体の周囲に配置された操作用筒体が、上流側本体に周方向回動自在に取り付けられていて、
操作用筒体の内周面に形成された雌ネジ部が下流側本体の外周面に形成された雄ネジ部と螺合して下流側本体を上流側本体に対しノズル軸心方向に進退させることにより、第１オリフィス板が上流側本体の先端面に密着したときは、上流側本体の流路と第１オリフィス板の中央オリフィス穴とが連通されるとともに上流側本体の先端面が第１オリフィス板の周辺オリフィス穴を閉止する構成とされ、第１オリフィス板が上流側本体の先端面から離間したときは、上流側本体の流路と第１オリフィス板の中央オリフィス穴および周辺オリフィス穴とが連通する構成となっている噴霧ノズルであって、
下流側本体における空気導入路と第１オリフィス板との間の流路に、流路軸心上に配置される第２中央オリフィス穴を有する第２オリフィス板を配備し、下流側本体の外周面と操作用筒体の内周面との間に、第１オリフィス板が上流側本体の先端面に密着したときから、下流側本体の雄ネジ部のノズル軸心方向下流側端部が螺進し操作用筒体の雌ネジ部のノズル軸心方向下流側端部に当接して止まることにより第１オリフィス板が上流側本体の先端面から最大に離間したときまでのいずれのときも、空気導入路とノズル外部とを常に連通している連通空間を設けたことを特徴とする空気混入式専用の噴霧ノズル。
【請求項２】
上流側本体の先端面が、ノズル本体の流路軸心上に配置される流路を有する弾性部材で構成されていることを特徴とする請求項１に記載の空気混入式専用の噴霧ノズル。
【発明の詳細な説明】
【技術分野】
【０００１】
本発明は、薬液などを空気と混合した散布に使用されるノズルであって、特に噴霧量を切替可能な噴霧ノズルに関するものである。
【背景技術】
【０００２】
従来、この種の噴霧ノズルとしては、例えば下記の特許文献１に記載されたものが知られている。この文献記載の噴霧ノズル５１は、図７に示すように、散布杆などが接続される上流側本体５４と、噴板５８を有する下流側本体５３とを備えている。下流側本体５３は、噴板５８を止めるキャップ６９を有するノズルホルダ５５と、ノズルホルダ５５の末端側に連結される進退ホルダ５６とから構成される。下流側本体５３の末端側には、流路軸心Ｃ上に配置される第１中央オリフィス穴６３と、第１オリフィス穴６３の周囲に配置された周辺オリフィス穴６４とを有する第１オリフィス板６２が配備されている。下流側本体５３の第１オリフィス板６２と噴板５８との間には、流路７４と本体外部とを連通して本体外部の空気を流路内に導入するための空気導入路７０が形成されている。下流側本体５３の外方周囲には操作用筒体５９が配置され、この操作用筒体５９は上流側本体５４の枢支部５４Ｂに周方向回動自在に取り付けられている。
【０００３】
そして、操作用筒体５９の内周面に形成された雌ネジ部５９Ｃが下流側本体５３の外周面に形成された雄ネジ部５６Ａと螺合して下流側本体５３を上流側本体５４に対しノズル軸心Ｃ方向に進退させるようになっている。これにより、第１オリフィス板６２が上流側本体５４の先端面５４Ｄに密着したときは、上流側本体５４の流路７２と第１オリフィス板５２の中央オリフィス穴５３とが連通され、且つ、上流側本体５４の先端面５４Ｄが第１オリフィス板６２の周辺オリフィス穴６４を閉止する。一方、第１オリフィス板６２が上流側本体５４の先端面５４Ｄから離間したときは、上流側本体５４の流路７２と、第１オリフィス板６２の中央オリフィス穴６３および周辺オリフィス穴６４のすべてとが連通する。
【０００４】
この噴霧ノズル５１は、噴霧粒径が大きいことから風に同伴した飛散量（ドリフト量）が少なく且つ薬液散布量が少ない空気混入式の噴霧態様と、噴霧粒径が小さく且つ薬液散布量が多い空気非混入式の噴霧態様との切り替えられるようになっている。噴霧粒径が小さい空気非混入式は例えば殺虫剤用として使用され、噴霧粒径が大きい空気混入式は例えば除草剤用として使用されている。
まず、空気混入式のときは、操作用筒体５９を手で回して、図７に示した状態のようにすると、周辺オリフィス穴６４が閉止されるとともに連通空間７８が開かれる。これにより、上流側本体５４の流路７２の薬液は第１オリフィス板６２の第１中央オリフィス穴６３のみから流路７４に勢いよく噴出する。そこで、流路７４内の薬液は空気導入路７０から吸引された空気が混入されたのち、流路７６および噴口５７を経て噴射される。
一方、前記の空気混入式から空気非混入式に切り替える場合は、操作用筒体５９を逆に回すと、Ｏ−リング８１が操作用筒体５９の内周段差面８０に当接して連通空間７８を塞ぎ、空気導入路７０から流路７４への空気の導入が止められる。同時に、第１オリフィス板６２の他端面が上流側本体５４の先端面５４Ｄから離れ、それらの間に空間が生じる。そこで、上流側本体５４の流路７２からの薬液が前記した空間に流入したのち、第１中央オリフィス穴６３を通るものと、周辺オリフィス穴６４を通るものとに分かれる。そして、第１中央オリフィス穴６３および周辺オリフィス穴６４を通った薬液は流路７０に流出し、そのまま空気を混入されることなく流路７６および噴口５７を経て噴射されるようになっている。
【先行技術文献】
【特許文献】
【０００５】
【特許文献１】特開２００５−３１９３６５号公報
【発明の概要】
【発明が解決しようとする課題】
【０００６】
上記したように、従来の噴霧ノズル５１は、上流側本体５４の先端面５４Ｄの当接・離間により、第１オリフィス板６２の周辺オリフィス穴６４を開閉して、空気混入式と空気非混入式とに切り替えるようになっているが、既述したように空気非混入式の場合は噴霧粒径が小さくドリフト現象を引き起こしやすいことから、或る種の薬剤、例えば除草剤には不向きなノズルであった。
一方で、空気混入式の噴霧ノズルが多用される除草剤において、その種類によっては単位面積当たりの散布すべき量が異なる場合がある。例えば、或る種の除草剤では１アール当り２５Ｌが必要であり、別種の除草剤では１アール当り１００Ｌが必要になるといった具合である。このような場合でも、上記の噴霧ノズル１では、空気混入式のまま散布量だけを切り替えられないという不具合があった。尚、原液に対する希釈倍率が比較的小さく毒性が強い除草剤と、希釈倍率が比較的大きい殺虫剤とをひとつの噴霧ノズルで使い分けすることは、通常は行なわれない。
【０００７】
本発明は、上記した従来の問題点に鑑みてなされたものであって、空気混入式専用のノズルでありながら、多量散布と少量散布とを切り替えて行なうことのできる噴霧ノズルの提供を目的とする。
【課題を解決するための手段】
【０００８】
上記目的を達成するために、本発明に係る噴霧ノズルは、ノズル本体に貫通形成された流路の先端部に、噴板が配備され、ノズル本体が、上流側本体と、噴板を有する下流側本体とに流路軸心方向に分割して形成され、流路軸心上に配置される第１中央オリフィス穴と、第１中央オリフィス穴の周囲に配置された周辺オリフィス穴とを有する第１オリフィス板が下流側本体の末端側に配備され、下流側本体の第１オリフィス板と噴板との間に、流路と本体外部とを連通して本体外部の空気を流路内に導入するための空気導入路が形成され、下流側本体の周囲に配置された操作用筒体が、上流側本体に周方向回動自在に取り付けられていて、操作用筒体の内周面に形成された雌ネジ部が下流側本体の外周面に形成された雄ネジ部と螺合して下流側本体を上流側本体に対しノズル軸心方向に進退させることにより、第１オリフィス板が上流側本体の先端面に密着したときは、上流側本体の流路と第１オリフィス板の中央オリフィス穴とが連通されるとともに上流側本体の先端面が第１オリフィス板の周辺オリフィス穴を閉止する構成とされ、第１オリフィス板が上流側本体の先端面から離間したときは、上流側本体の流路と第１オリフィス板の中央オリフィス穴および周辺オリフィス穴とが連通する構成となっている噴霧ノズルであって、下流側本体における空気導入路と第１オリフィス板との間の流路に、流路軸心上に配置される第２中央オリフィス穴を有する第２オリフィス板を配備し、下流側本体の外周面と操作用筒体の内周面との間に、第１オリフィス板が上流側本体の先端面に密着したときから、下流側本体の雄ネジ部のノズル軸心方向下流側端部が螺進し操作用筒体の雌ネジ部のノズル軸心方向下流側端部に当接して止まることにより第１オリフィス板が上流側本体の先端面から最大に離間したときまでのいずれのときも、空気導入路とノズル外部とを常に連通している連通空間を設けた構成にしてある。
【０００９】
また、前記構成において、上流側本体の先端面が、ノズル本体の流路軸心上に配置される流路を有する弾性部材で構成されているものである。
【発明の効果】
【００１０】
本発明に係る噴霧ノズルによれば、第１オリフィス板が上流側本体の先端面と密着したとき、または離間したときのいずれの場合も、連通空間はノズル外部と連通しているので、常に、ノズル外部の空気を連通空間および空気導入路から下流側本体内の流路に導入することができる。また、空気導入路と第１オリフィス板との間の下流側本体に、第２オリフィス板が配備されているので、多量散布時には、第１中央オリフィス穴を通る薬液と周辺オリフィス穴を通る薬液とが、第２オリフィス板の手前で再び合流したのち、第２中央オリフィス穴から勢いよく噴出する。これにより、第２中央オリフィス穴からの薬液が空気導入路から十分な量の空気を混入したのちに噴口から多量に噴出させることができる。すなわち、この噴霧ノズルは、空気混入式の大噴霧量ノズルと空気混入式の小噴霧量ノズルを変更するといった不便さをもたらすことなく、多量散布と少量散布とをひとつのノズルの切り替えだけで行なうことができる
【００１１】
また、上流側本体の先端面が、ノズル本体の流路軸心上に配置される流路を有する弾性部材で構成されているものでは、上流側第２オリフィス板に第１オリフィス板を当接させたときに、弾性部材が弾性変形して第１オリフィス板の末端面に緻密に密着するので、周辺オリフィス穴を確実に封止できる。従って、周辺オリフィス穴からの液漏れを防いで、第１オリフィス板から第２オリフィス板への液流状態を一定に保持することができる。
【図面の簡単な説明】
【００１２】
【図１】本発明の実施形態１に係る噴霧ノズルおよび散布杆の正面図である。
【図２】前記噴霧ノズルの分解斜視図である。
【図３】前記噴霧ノズルにおいて第１オリフィス板の末端面と上流側本体の先端面が密着している状態を示す側断面図である。
【図４】前記噴霧ノズルにおいて第１オリフィス板の末端面と上流側本体の先端面とが離間している状態を示す側断面図である。
【図５】本発明の実施形態２に係る噴霧ノズルにおいて第１オリフィス板の末端面と上流側本体の弾性部材の先端面が密着している状態を示す側断面図である。
【図６】前記実施形態２の噴霧ノズルにおいて第１オリフィス板の末端面と上流側本体の弾性部材の先端面とが離間している状態を示す側断面図である。
【図７】従来の噴霧ノズルを示す一部断面を含む側面図である。
【発明を実施するための形態】
【００１３】
本発明の実施形態を図面に基づいて説明する。尚、以下に述べる実施形態は本発明を具体化した一例に過ぎず、本発明の技術的範囲を限定するものでない。
「実施形態１」：
図１は本発明の実施形態１に係る噴霧ノズルおよび散布杆の正面図、図２は前記噴霧ノズルの分解斜視図、図３は前記噴霧ノズルにおいて第１オリフィス板の末端面と上流側本体の先端面が密着している状態を示す側断面図である。
各図において、この実施形態に係る噴霧ノズル１は、それぞれ後述する、上流側本体４、Ｏ−リング２１、第１オリフィス板１２、第２オリフィス板１０、進退ホルダ６、操作用筒体９、連結用キャップ１５、ノズルホルダ５、中子１６、Ｏ−リング１８、噴板８、および先端キャップ１９から構成される。この噴霧ノズル１は、連結用キャップ１５の連結用口２７の雌ネジ部１５Ａに角度付き連結具４０の先端側が螺止される。そして、角度付き連結具４０の末端側がジョイント部４１を介して散布杆４２と連結されて、除草剤など薬液の噴霧に使用される。尚、この実施形態において、先端側は液体流通方向の下流側と同義であり、末端側は液体流通方向の上流側と同義である（以下同じ）。
【００１４】
前記したノズル本体２は、先端側と末端側とを一連に貫通して形成された流路２２，２３，２４，２５，２６，１７を有しており、上流側本体４と、噴板８を有する下流側本体３とに、流路軸心Ｃ方向に分割して形成されている。すなわち、流路２２，２３，２４，２５，２６，１７の先端部に、噴口７を有する噴板８が配備されている。下流側本体３は、上流側本体４に対し流路軸心Ｃ方向に移動自在に連結される進退ホルダ６と、進退ホルダ６先端の係合穴６Ｃに係止突部５Ｂが係止されるノズルホルダ５とから構成されている。ノズルホルダ５内には、混合流路２５が貫通形成されており、混合流路２５の前方にディヒューザ流路２６が形成されている。このディヒューザ流路２６の前方に、薬液を衝突させたのちに噴口７に案内する中子１６が装着されている。この中子１６には、衝突後の薬液を流す流路１７が形成されている。中子１６の周囲でノズルホルダ５の先端面上にはＯ−リング１８が置かれ、更にＯ−リング１８の先端側に噴板８が置かれ、これらの上から先端キャップ１９が被せられる。先端キャップ１９はその雌ネジ部１９Ａがノズルホルダ５の雄ネジ部５Ａと螺合して、噴板８、Ｏ−リング１８、中子１６を一体に固定する。
【００１５】
進退ホルダ６の流路２３，２４の末端側には、進退ホルダ６の先端側に向かって陥没した凹部６Ｄが形成されている。この凹部６Ｄ内に第１オリフィス板１２が配備されている。第１オリフィス板１２は、流路軸心Ｃ上に配置される第１中央オリフィス穴１３と、第１中央オリフィス穴１３の周囲に配置された例えば２つの周辺オリフィス穴１４，１４とを有している。進退ホルダ６の凹部６Ｄ内における空気導入路２０と第１オリフィス板１２との間、すなわち合流用流路２３と集合用流路２４との境目に、第２オリフィス板１０が配備されている。この第２オリフィス板１０の第２中央オリフィス穴１１も流路軸心Ｃ上に配置されている。そして、第２オリフィス板１０は第１オリフィス板１２から流路軸心Ｃ方向に離間して配備され、これらの間は第１中央オリフィス穴１３および周辺オリフィス穴１４，１４をそれぞれ通過した噴霧液が合流する合流用流路２３となっている。
【００１６】
進退ホルダ６の凹部６Ｄ内には、上流側本体４先端側の小径部４Ｆが装着される。この小径部４Ｆの外周面には、周溝部４Ｃが全周にわたって形成されている。この周溝部４Ｃに嵌着されたＯ−リング２１が、進退ホルダ６の凹部６Ｄの内周面を流路軸心Ｃ方向に液封状態で摺動する。進退ホルダ６における第１オリフィス板１２の下流側には、空気導入路２０が形成されている。この空気導入路２０は、集合用流路２４と本体外部とを連通して本体外部の空気を集合用流路２４内に導入するためのものである。進退ホルダ６の周囲には、操作用筒体９が配備されており、この操作用筒体９末端部の外周鍔部９Ｂが、上流側本体４の枢支部４Ｂに周方向回動自在に取り付けられている。上流側本体４末端の外周面には雄ネジ部４Ａが形成されており、キャップ１５の雌ネジ部１５Ａと螺合する。操作用筒体９の外周鍔部９Ｂは、キャップ１５先端部の内周鍔部により回動可能に且つ抜け止め係止されている。
【００１７】
そして、操作用筒体９の内周面９Ａに形成された雌ネジ部９Ｃが進退ホルダ６の外周面６Ｂに形成された雄ネジ部６Ａと螺合して、進退ホルダ６を上流側本体４に対し流路軸心Ｃ方向に進退させるようになっている。これにより、第１オリフィス板１２の末端面１２Ａが上流側本体４の先端面４Ｄに密着したときは、上流側本体４の先端面４Ｄが第１オリフィス板１２の周辺オリフィス穴１４，１４を閉止する。また、第１オリフィス板１２が上流側本体４の先端面４Ｄから離間したとき、上流側本体４の流路２２は周辺オリフィス穴１４，１４と連通するようになっている。尚、上流側本体４に対する下流側本体３の進退状態によらず、上流側本体４の流路２２と第１オリフィス板１２の第１中央オリフィス穴１３は、常に連通している。進退ホルダ６の末端側には、例えば２つの係合溝部６Ｅ, ６Ｅが形成されている。これらの係合溝部６Ｅ, ６Ｅは、上流側本体４の小径部４Ｆの外周面に形成された回り止め突部４Ｅ，４Ｅと係合する。これにより、上流側本体４に対し進退ホルダ６を周方向に回転させないようになっている。また、進退ホルダ６の外周面６Ｂと操作用筒体９の内周面９Ａとの間には、連通空間２８が形成されている。この連通空間２８により、常に、空気導入路２０とノズル外部とが連通している。すなわち、第１オリフィス板１２が上流側本体４の先端面４Ｄに密着したとき、および、第１オリフィス板１２が上流側本体４の先端面４Ｄから離間したときのいずれの場合も、空気導入路２０とノズル外部とは連通している。
【００１８】
更に、噴板８と第２オリフィス板１０と第１オリフィス板１２には、次のような条件が設定される。例えば、第２中央オリフィス穴１１と第１中央オリフィス穴１３は共通の流路軸心Ｃ上に配置されている。また、噴板８の噴口７の穴面積（または穴径）は第２中央オリフィス穴１１の穴面積（または穴径）よりも大きくされる。第１オリフィス板１２における全てのオリフィス穴１３，１４，１４からの噴霧量は第２オリフィス板１０の第２中央オリフィス穴１１からの噴霧量よりも多くなるように、それぞれのオリフィス穴１１，１３，１４の穴面積と、周辺オリフィス穴１４の個数が決められる。そして、噴霧量は、少量散布時は第１オリフィス板１２の第１中央オリフィス穴１３の穴面積で決まり、多量散布時は第２オリフィス板１０の第２中央オリフィス穴１１の穴面積で決まる。尚、噴板８の噴口７の穴面積は噴霧量に影響しない。尚、空気混入式のノズルとするためには、噴口７の穴面積を第２オリフィス板１０の第２中央オリフィス穴１１の穴面積よりも大きくしなければならない。
【００１９】
上記した各部品の材質は特に限定されるものでないが、ノズルホルダ５、先端キャップ１９、中子１６、連結用キャップ１５、操作用筒体９、進退ホルダ６、および上流側本体４は、例えばポリアセタールやポリプロピレンなどの合成樹脂で構成するとよい。噴板８、第１オリフィス板１２、および第２オリフィス板１０は、例えばステンレス鋼や真鍮などの金属で構成するとよい。Ｏ−リング１８，２１は例えばＮＢＲやフッ素ゴムなどで構成するとよい。
【００２０】
上記した構成の噴霧ノズル１の作用を次に説明する。
まず、少量散布（例えば０．５Ｌ／分）の場合を説明する。進退ホルダ６を上流側本体４に当接させるように操作用筒体９が回されると、図３に示すように、第１オリフィス板１２の他端面１２Ａが上流側本体４の先端面４Ｄに当接する。このとき、第１オリフィス板１２では、第１中央オリフィス穴１３が集合用流路２３と連通する一方、周辺オリフィス穴１４，１４は閉止されている。その結果、上流側本体４の流路２２からは、少量の薬液が第１中央オリフィス穴１３のみを通って合流用流路２３に流出し、更に第２オリフィス板１０の第２中央オリフィス穴１１から集合用流路２４に流出する。集合用流路２４内の薬液は更に混合流路２５およびディヒューザ流路２６を流れ、それにより空気導入路２０から空気を吸引する。そして、集合用流路２４では、第２中央オリフィス穴１１からの薬液に空気導入路２０からの空気が混入され、中子１６の末端面に衝突したのちに流路１７を通って噴口７から噴射される。
【００２１】
一方、多量散布（例えば１．４Ｌ／分）のために、進退ホルダ６を上流側本体４から離すように操作用筒体９が回されると、図４に示すように、進退ホルダ６が矢印Ｕのように移動し、第１オリフィス板１２の他端面１２Ａが弾性部材３０の先端面３０Ｃから離れ、それらの間に流路２９が生じる。その結果、上流側本体４の流路２２から多量の薬液が流路２９に流入したのち、第１中央オリフィス穴１３を通るものと、両側の周辺オリフィス穴１４，１４を通るものとに分かれる。そして、第１中央オリフィス穴１３および周辺オリフィス穴１４，１４を通った薬液は、合流用流路２３で再度合流したのち、第２オリフィス板１０の第２中央オリフィス穴１１から集合用流路２４に流出して空気を混入されたのち、噴口７から噴射されるのである。
【００２２】
上記したように、この噴霧ノズル１では、第１オリフィス板１２が上流側本体４の先端面４Ａに密着したとき、または第１オリフィス板１２が上流側本体４の先端面４Ａから離間したときのいずれの場合も、進退ホルダ６と操作用筒体９の間の連通空間２８はノズル外部と連通しているので、常に、ノズル外部の空気を連通空間２８および空気導入路２０から進退ホルダ６内の集合用流路２４に導入することができる。また、空気導入路２０との進退ホルダ６内に、第２オリフィス板１０が配備されており、第１オリフィス板１２と第２オリフィス板１０との間に合流用流路２３が設けられているので、多量散布時には、第１中央オリフィス穴１３を通る薬液と周辺オリフィス穴１４，１４を通る薬液とが、合流用流路２３で再び合流したものが、第２オリフィス板１０の第２中央オリフィス穴１１から勢いよく噴出される。これにより、第２中央オリフィス穴１１からの薬液が空気導入路２０から十分な量の空気を混入したのちに噴口７から多量に噴出されるのである。すなわち、この噴霧ノズル１は、少量散布（例えば０．５Ｌ／分）と多量散布（例えば１．４Ｌ／分）のいずれの場合も、空気混入式の噴霧態様だけで薬液散布が行なうことができる。
【００２３】
「実施形態２」：
次に、本発明の実施形態２に係る噴霧ノズルを説明する。図５および図２に示すように、実施形態２の噴霧ノズル１Ａは前記した実施形態１の噴霧ノズル１と多くの構成が共通であるが、構成の異なるところは、上流側本体４の流路２２の先端部に係合穴部４Ｇが形成され、この係合穴部４Ｇに、例えばゴム材料などから成る弾性部材３０が装着されていることである。弾性部材３０は、円盤部３０Ｄと、円盤部３０Ｄから他端側に突出して形成された係止突部３０Ｂとから構成されている。そして、流路軸心Ｃ上に配置される流路３０Ａが円盤部３０Ｄの盤中央から係止突部３０Ｂ内を貫通して形成されている。弾性部材３０は例えばＮＢＲやフッ素ゴムなどのゴム材、あるいは熱可塑性エラストマーなどで構成される。弾性部材３０はその係止突部３０Ｂが上流側本体４の係合穴部４Ｇに差し込まれて掛止されることにより固定される。すなわち、弾性部材３０により上流側本体４の先端部が構成される。
【００２４】
従って、操作用筒体９を回して弾性部材３０の先端面３０Ｃに第１オリフィス板１２の末端面１２Ａを当接させたとき、弾性部材３０が弾性変形して第１オリフィス板１２の末端面１２Ａに緻密に密着する（図５参照）。これにより、周辺オリフィス穴１４，１４を確実に封止できる。その結果、周辺オリフィス穴１４，１４からの液漏れを防ぎ、薬液を専ら第１中央オリフィス穴１３から第２オリフィス板１０の第２中央オリフィス穴１１へと流すことができる。また、剛体同士の当接ではなく弾性部材３０が柔らかく当接するので、当接音は生じることがなく静かである。
【００２５】
一方、進退ホルダ６を上流側本体４から離すように操作用筒体９が回されると、図６に示すように、進退ホルダ６が矢印Ｕのように移動し、第１オリフィス板１２の他端面１２Ａが弾性部材３０の先端面３０Ｃから離れ、それらの間に流路２９が生じる。その結果、弾性部材３０の流路３０Ａからの薬液は、流路２９において、第１中央オリフィス穴１３を通るものと、両側の周辺オリフィス穴１４，１４を通るものとに分かれる。そして、第１中央オリフィス穴１３および周辺オリフィス穴１４，１４を通った薬液は、合流用流路２３で再度合流したのち、第２オリフィス板１０の第２中央オリフィス穴１１から集合用流路２４に流出して空気を混入されたのち、噴口７から噴射される。
【００２６】
従って、この噴霧ノズル１Ａによれば、少量散布と多量散布のいずれの場合も、空気混入式だけで薬液散布を行なえるのは無論のこと、少量散布時には、弾性部材３０が第１オリフィス板１２の末端面１２Ａに当接して密着し周辺オリフィス穴１４，１４を確実に封止することができる。その結果、少量散布量を規定量に保持することができ、噴霧状態も安定する。
【００２７】
尚、上記の実施形態では、第１オリフィス板１２の周辺オリフィス穴１４，１４を、第１中央オリフィス穴１３の両側位置で直線状に配置したが、本発明の噴霧ノズルはそれに限定されるものでなく、周辺オリフィス穴１４の開口位置は、上流側本体４の先端面４Ｄまたは弾性部材３０で閉止することができる位置であれば、どこでも構わない。また、第１オリフィス板１２に設けられる周辺オリフィス穴１４の数は２つに限らない。
また、第１中央オリフィス穴１３、第２中央オリフィス穴１１、および噴口７のそれぞれの穴面積を変更することで、様々な噴霧量の空気混入式の噴霧ノズルを提供することができる。
【符号の説明】
【００２８】
１，１Ａ 噴霧ノズル
２ ノズル本体
３ 下流側本体
４ 上流側本体
４Ｂ 枢支部
４Ｄ 先端面
５ ノズルホルダ
６ 進退ホルダ
６Ａ 雄ネジ部
６Ａｔ ノズル軸心方向下流側端部
６Ｂ 外周面
７ 噴口
８ 噴板
９ 操作用筒体
９Ａ 内周面
９Ｃ 雌ネジ部
９Ｃｔ ノズル軸心方向下流側端部
１０ 第２オリフィス板
１１ 第２中央オリフィス穴
１２ 第１オリフィス板
１２Ａ 末端面
１３ 第１中央オリフィス穴
１４ 周辺オリフィス穴
１７ 流路
２０ 空気導入路
２２ 流路
２３ 合流用流路
２４ 集合用流路
２５ 混合流路
２６ ディヒューザ流路
２７ 装着用口
２８ 連通空間
２９ 流路
３０ 弾性部材
３０Ａ 流路
３０Ｃ 先端面
４０ 角度付き連結具
４１ ジョイント部
４２ 散布杆
Ｃ 流路軸心
Ｕ 矢印
【図１】
0005530974.tif 000002
【図２】
0005530974.tif 000003
【図３】
0005530974.tif 000004
【図４】
0005530974.tif 000005
【図５】
0005530974.tif 000006
【図６】
0005530974.tif 000007
【図７】
0005530974.tif 000008